【手続補正書】
【提出日】平成15年9月24日(2003.9.24)
【手続補正１】
【補正対象書類名】明細書
【補正対象項目名】特許請求の範囲
【補正方法】変更
【補正の内容】
【特許請求の範囲】
【請求項１】  ビデオ情報を伝送する方法であって、少なくとも第１のビットストリームと第２のビットストリームとがビデオ情報から形成され、第１のビットストリーム（５１０）は、少なくとも１つのビデオフレームを含む第１のセットのフレームを有し、第２のビットストリーム（５２０）は、少なくとも１つの予測ビデオフレーム（５２４）を含む第２のセット（５２０）のフレームを有し、前記第１のビットストリーム（５１０）と前記第２のビットストリーム（５２０）のフレームの符号化時に、少なくとも部分的に異なる符号化用パラメータが使用され、前記第１のビットストリーム（５１０）のうちの少なくとも１つのフレームが伝送され、該伝送が前記第１のビットストリーム（５１０）から前記第２のビットストリーム（５２０）へ切り替えられるように構成される方法において、前記第１のビットストリーム（５１０）から前記第２のビットストリーム（５２０）への伝送の切り替え時に、第２のビットストリームは、少なくとも１つの１次切り替えフレーム（５２３）を具備し、２次切り替えフレーム（５５０）が伝送され、２次切り替えフレーム（５５０）は、第２のビットストリーム（５２０）の符号化用パラメータと第１のビットストリーム（５１０）からの少なくとも１つの参照フレームを用いて符号化されたものであり、第２のセットのビデオフレームの前記少なくとも１つの予測ビデオフレーム（５２４）の再構成ににおいて１次切り替えフレーム（５２３）の代わりに前記２次切り替えフレーム（５５０）を参照フレームとして用いることを特徴とする方法。
【請求項２】  請求項１に記載の方法において、第１のビットストリーム（５１０）が少なくとも１つの１次切り替えフレーム（５１３）を有することを特徴とする方法。
【請求項３】  請求項１または２に記載の方法において、第１のビットストリーム（５１０）が、ビデオ情報の１つの位置から別の位置へビデオ情報の切り替えを行うために、１つのイントラフレームと１つの２次切り替えフレーム（５１３）とを有することを特徴とする方法。
【請求項４】  請求項１または２に記載の方法において、第１のビットストリーム（５１０）が、ビデオ情報に対する高速の順方向処理を行うために、イントラフレームと１次切り替えフレーム（５１３）のみを有することを特徴とする方法。
【請求項５】  請求項２乃至４のいずれかに記載の方法において、前記１次切り替えフレーム（５２３）または２次切り替えフレーム（５５０）が予測ビデオフレームであり、予測情報がイントラ予測情報のみを有することを特徴とする方法。
【請求項６】  請求項１乃至５のいずれかに記載の方法において、変換係数ｃpredを計算し、量子化して変換係数Ｉpredの量子化された値を形成するように１次切り替えフレーム（５１３）が形成されることと、予測誤差の量子化係数Ｉerrが定められることと、量子化により、再構成された量子化変換係数Ｉrecを取得できる源となる係数ｃrecが存在するように再構成された量子化変換係数Ｉrecが定められることと、再構成された量子化変換係数Ｉrecが、以下の条件、
Ｉrec = Ｉpred + Ｉerr
または
crec = cpred + derr
のうちの一方を満たし、ただし、ｄerrが予測誤差の逆量子化値であることを特徴とする方法。
【請求項７】  請求項６に記載の方法において、変換係数Ｉpredの量子化時に、及び、予測誤差の量子化時に同じ量子化パラメータを用いることを特徴とする方法。
【請求項８】  請求項６に記載の方法において、変換係数Ｃrecの量子化時に予測誤差の量子化の場合とは異なる量子化パラメータを用いることを特徴とする方法。
【請求項９】  ビデオ情報を伝送する方法であって、少なくとも１つのビットストリーム（５１０）がビデオ情報から形成され、ビットストリーム（５１０）は、少なくとも１つのビデオフレームを含む第１のセットのフレームと、少なくとも１つの予測ビデオフレーム（５２４）を含む第２のセットのフレームを有し、前記第１のセットのフレームと前記第２のセットのフレームのフレームの符号化時に、少なくとも部分的に異なる符号化用パラメータが使用され、前記ビットストリーム（５１０）のうちの少なくとも１つのフレームが伝送され、該伝送が前記第１のセットのフレームから前記第２のセットのフレームへ切り替えられるように構成される方法において、前記第１のセットのフレームから前記第２のセットのフレームへの伝送の切り替え時に、第２のセットのフレームは、少なくとも１つの１次切り替えフレーム（５２３）を具備し、２次切り替えフレーム（５５０）が伝送され、２次切り替えフレーム（５５０）は、第２のセットのフレームの符号化用パラメータと第１のセットのフレームからの少なくとも１つの参照フレームを用いて符号化されたものであり、第２のセットのビデオフレームの前記少なくとも１つの予測ビデオフレーム（５２４）の再構成ににおいて１次切り替えフレーム（５２３）の代わりに前記２次切り替えフレーム（５５０）が参照フレームとして用いられ、伝送エラーからの回復のために前記２次切り替えフレーム（５５０）を使用し、前記２次切り替えフレームが予測ビデオフレームであり、予測情報が、予測ビデオフレームの前回のフレームより早いビデオフレームからの予測情報を含むことを特徴とする方法。
【請求項１０】  ビデオ情報を伝送する方法であって、少なくとも１つのビットストリーム（５１０）がビデオ情報から形成され、ビットストリーム（５１０）は、少なくとも１つのビデオフレームを含む第１のセットのフレームと、少なくとも１つの予測ビデオフレーム（５２４）を含む第２のセットのフレームを有し、前記第１のセットのフレームと前記第２のセットのフレームのフレームの符号化時に、少なくとも部分的に異なる符号化用パラメータが使用され、前記ビットストリーム（５１０）のうちの少なくとも１つのフレームが伝送され、該伝送が前記第１のセットのフレームから前記第２のセットのフレームへ切り替えられるように構成される方法において、前記第１のセットのフレームから前記第２のセットのフレームへの伝送の切り替え時に、第２のセットのフレームは、少なくとも１つの１次切り替えフレーム（５２３）を具備し、２次切り替えフレーム（５５０）が伝送され、２次切り替えフレーム（５５０）は、第２のセットのフレームの符号化用パラメータと第１のセットのフレームからの少なくとも１つの参照フレームを用いて符号化されたものであり、第２のセットのビデオフレームの前記少なくとも１つの予測ビデオフレーム（５２４）の再構成ににおいて１次切り替えフレーム（５２３）の代わりに前記２次切り替えフレーム（５５０）が参照フレームとして用いられ、伝送エラーからの回復のために前記２次切り替えフレーム（５５０）を使用し、前記２次切り替えフレームが予測ビデオフレームであり、予測情報がイントラ予測情報のみを有することを特徴とする方法。
【請求項１１】  請求項１乃至１０のいずれかに記載の方法において、前記少なくとも１つの１次切り替えフレーム（５２３）と前記２次切り替えフレーム（５５０）の双方のフレームが、前記少なくとも１つの予測ビデオフレーム（５２４）の同じ再構成結果を生成することを特徴とする方法。
【請求項１２】  請求項１乃至１０のいずれかに記載の方法において、前記少なくとも１つの１次切り替えフレーム（５２３）と前記２次切り替えフレーム（５５０）の双方が同一の再構成値を有することを特徴とする方法。
【請求項１３】  少なくとも第１のビットストリーム（５１０）と、第２のビットストリーム（５２０）とをビデオ情報から形成する形成手段を備えた符号器であって、第１のビットストリームは、少なくとも１つのビデオフレームを含む第１のセットのフレームを有し、第２のビットストリームは、少なくとも１つの予測ビデオフレーム（５２４）を含む第２のセットのフレームを有し、前記第１のビットストリーム（５１０）と前記第２のビットストリーム（５２０）とのフレームの符号化に関して、少なくとも部分的に異なる符号化用パラメータを利用する手段と、前記第１のビットストリームの少なくとも１つのフレームを伝送する手段と、前記第１のビットストリーム（５１０）から前記第２のビットストリーム（５２０）へ伝送を切り替える手段とを有する符号器において、前記第１のビットストリーム（５１０）から前記第２のビットストリーム（５２０）へ伝送を切り替える前記手段が、前記第２のビットストリーム（５２０）の符号化用パラメータと、第１のビットストリーム（５１０）からの参照フレームとを用いて、２次切り替えフレーム（５５０）を符号化して、前記第１のビットストリーム（５１０）から前記第２のビットストリーム（５１０）への伝送の切り替えを可能にする手段を備えることを特徴とする符号器。
【請求項１４】  請求項１３に記載の符号器において、前記参照フレームを用いて予測情報を生成する手段（１６７０、１６７５）と、予測情報に従って量子化と逆量子化とを行う手段（１６９２、１６９４）とを備えることを特徴とする符号器。
【請求項１５】  請求項１３に記載の符号器において、前記参照フレームを用いることによって予測情報を生成する手段（１６７０、１６７５）と、予測情報を伝送する手段（１６９０）を具備することを特徴とする符号器。
【請求項１６】  ビデオ情報から形成される少なくとも第１のビットストリーム（５１０）と第２のビットストリームとからのフレームを含む信号からビデオ情報を復号化する復号器であって、第１のビットストリームは、少なくとも１つのビデオフレームを含む第１のセットのフレームを含み、第２のビットストリームは、少なくとも１つの予測ビデオフレーム（５２４）を含む第２のセット（５２０）のフレームを含み、さらに、少なくとも部分的に異なる符号化用パラメータが、前記第１のビットストリーム（５１０）と前記第２のビットストリーム（５２０）のフレームの符号化時に用いられる復号器において、２次切り替えフレーム（５５０）を復号化する手段を有し、第２のビットストリーム（５２０）の符号化用パラメータと、第１のビットストリーム（５１０）からの少なくとも１つの参照フレームとを用いて前記２次切り替えフレーム（５５０）を符号化し、さらに、第２のセットのビデオフレームの前記少なくとも１つの予測ビデオフレーム（５２４）の再構成時に用いる参照フレームとして、１次切り替えフレーム（５２３）の代わりに前記２次切り替えフレームを前記信号に追加し、さらに、２次切り替えフレーム（５５０）を復号化する前記手段が、第２のビットストリーム（５２０）の復号化用パラメータと、第１のビットストリーム（５１０）からの参照フレームとを利用する手段を有することを特徴とする復号器。
【請求項１７】  請求項１６に記載の復号器において、１次切り替えフレーム（５１３）が、空間的相関のみを用いてイントラ予測により符号化される領域と、動き補償を利用するインター予測により符号化される領域とを有し、再構成時に動き補償情報を利用する手段と、再構成時に空間的相関情報を利用する手段と、それぞれの領域の符号化により利用される予測方法に相応して、動き補償情報を利用する前記手段または空間的相関情報を利用する前記手段のうちのいずれかの手段により、各領域の再構成を行う切り替え手段とを有することを特徴とする復号器。
【請求項１８】  符号化された符号化ビデオ情報を表わす信号であって、ビデオ情報から形成される少なくとも第１のビットストリーム（５１０）と第２のビットストリームとからのフレームを含み、第１のビットストリームは、少なくとも１つのビデオフレームを含む第１のセットのフレームを含み、第２のビットストリームは、少なくとも１つの予測ビデオフレーム（５２４）を含む第２のセット（５２０）のフレームを含み、さらに、前記第１のビットストリーム（５１０）と前記第２のビットストリーム（５２０）のフレームとの符号化時に、少なくとも部分的に異なる符号化用パラメータが用いられる信号において、前記第１のビットストリーム（５１０）から前記第２のビットストリーム（５２０）への伝送の切り替え時に、第２のビットストリームが少なくとも１つの１次切り替えフレーム（５２３）を有し、第２のビットストリーム（５２０）の符号化用パラメータと、第１のビットストリーム（５１０）からの少なくとも１つの参照フレームとを用いて符号化されたものである２次切り替えフレーム（５１３、５２３）が伝送され、さらに、第２のセットのビデオフレームの前記少なくとも１つの予測ビデオフレームの再構成時に用いる参照フレームとして、１次切り替えフレーム（５２３）の代わりに前記２次切り替えフレーム（５５０）が用いられることを特徴とする信号。
【請求項１９】  少なくとも１つのビデオブロックと該少なくとも１つのビデオブロックから予測される少なくとも１つの予測ビデオブロックとを含むビデオ情報を復号化する復号器であって、以前に復号化されたブロックに関する参照情報を記憶するメモリ（６４０，１２５０，１３６０）とメモリ（６４０，１２５０，１３６０）に記憶された参照情報を使用して予測ブロックを形成する予測器（６５０，１２６０，１２７０，１３７０，１３８０）とを具備する復号器において、該復号器がさらに、
予測ブロックを変換して変換された予測ブロックを形成する変換器（６６０，１２９０，１３９０）と、変換された予測ブロックに現ブロックを表わす情報を加算して現ブロックの復号化において用いるための加算された情報を得る加算器（６１５，１２２０，１３２５）とを具備することを特徴とする復号器。
【請求項２０】  前記加算の後の現ブロックを逆量子化し逆変換する逆量子器（６２０，１２３０，１３３０）と逆変換器（６３０，１２４０，１３４０）を含むことを特徴とする請求項１９記載の復号器。
【請求項２１】  前記加算の前の前記変換された予測ブロックを量子化する量子化器を含むことを特徴とする請求項１９または２０記載の復号器。
【請求項２２】  現ブロックを表わす前記情報はビデオブロックを少なくとも変換し量子化して得られたものであり、該変換および量子化は前記予測ブロックの前記変換および量子化と同一である請求項２１記載の復号器。
【請求項２３】  現ブロックを表わす前記情報はビデオブロックを少なくとも変換し量子化して得られたものであり、復号器は前記加算の前に現ブロックを表わす前記情報を逆量子化する逆量子化器（１３２０）を含むことを特徴とする請求項１９または２０記載の復号器。
【請求項２４】  現ブロックを表わす前記情報はビデオブロックを少なくとも変換し量子化して得られたものであり、復号器は前記加算の前に現ブロックを表わす前記情報をスケーリングする正規化ブロック（６８０）を含むことを特徴とする請求項１９または２０記載の復号器。
【請求項２５】  前記加算の後に現ブロックを量子化し逆量子化し逆変換する量子化器（１３３０）、逆量子化器（１３４０）および逆変換器（１３５０）を含むことを特徴とする請求項１９または２０記載の復号器。
【請求項２６】  変換基底関数が変換において使用するために配置される請求項１９〜２５のいずれか１項記載の復号器。